(57)【要約】【課題】  動物に警戒されることなく、動物を檻本体内に誘き寄せて捕獲することができる捕獲用檻を提供する。【解決手段】  開口４ａ，４ｂを有する檻本体６と、開口４ａ，４ｂに開閉自在に装着された扉８ａ，８ｂと、扉８ａ，８ｂを開状態に保持する保持状態と開状態の保持を解除する解除状態とになる扉保持手段１０と、扉保持手段１０を作動させる作動手段１２と、動物を感知するセンサ１４と、を備えた捕獲用檻。センサ１４が動物を感知すると、センサ１４からの感知信号に基づいて作動手段１２が作動して扉保持手段１０が保持状態から解除状態になり、これによって、扉８ａ，８ｂは自重によって下方に移動して檻本体６の開口４ａ，４ｂを閉じる。【選択図】  図１
0003106222.tif 000002
【実用新案登録請求の範囲】
【請求項１】
開口を有する檻本体と、前記開口に開閉自在に装着された扉と、前記扉を開状態に保持する保持状態と前記開状態の保持を解除する解除状態とになる扉保持手段と、前記扉保持手段を作動させる作動手段と、動物を感知するセンサと、を備え、
前記センサが動物を感知すると、前記センサからの感知信号に基づいて前記作動手段が作動して前記扉保持手段が前記保持状態から前記解除状態になり、これによって、前記扉は自重によって下方に移動して前記開口を閉じることを特徴とする捕獲用檻。
【請求項２】
前記扉保持手段は係止部材を有しており、前記係止部材は、前記扉保持手段が前記保持状態の時は保持位置に、そして前記解除状態の時は解除位置に位置付けられ、また前記扉には索条の一端部が接続され、前記扉が開状態の時には、前記扉から延びる前記索条の他端部は前記係止部材に係止され、
前記センサが動物を感知すると、前記センサからの感知信号に基づいて前記作動手段が作動して前記係止部材が前記保持位置から前記解除位置に位置付けられて、前記索条の他端部が前記係止部材から離脱され、これによって、前記扉は自重によって下方に移動して前記開口を閉じることを特徴とする請求項１に記載の捕獲用檻。
【請求項３】
前記開口は前記檻本体の両端面にそれぞれ設けられ、この各開口にはそれぞれ前記扉が開閉自在に装着され、また前記各扉にはそれぞれ前記索条の一端部が接続され、前記センサが動物を感知すると、前記センサからの感知信号に基づいて前記作動手段が作動して前記係止部材が前記保持位置から前記解除位置に位置付けられ、これによって、前記各索条の他端部がともに前記係止部材から離脱されることを特徴とする請求項２に記載の捕獲用檻。
【請求項４】
前記係止部材は、先端部が折曲されたフック部材で構成され、前記フック部材は、前記保持位置と前記解除位置との間を回動自在に構成されており、前記フック部材が前記保持位置に位置付けられた際には、前記フック部材の先端部は一方の前記扉側である特定方向を向いており、他方の前記扉から延びる前記索条の他端部は前記フック部材へ係止され、また一方の前記扉から延びる前記索条は他方の前記扉側で一旦折り返された後にその他端部が前記フック部材へ係止されており、前記センサが動物を感知すると、前記センサからの感知信号に基づいて前記作動手段が作動して、前記フック部材が回動して前記保持位置から前記解除位置に位置付けられ、これにより、前記フック部材の先端部が前記特定方向と反対側に向き、前記各索条の他端部がともに前記係止部材から離脱されることを特徴とする請求項３に記載の捕獲用檻。
【請求項５】
前記係止部材は第１係止片及び第２係止片で構成され、前記第１係止片及び前記第２係止片はそれぞれ前記保持位置と前記解除位置との間を揺動自在であり、前記一対の係止片が前記保持位置に位置付けられた際には、一方の前記扉から延びる前記索条の他端部は前記第１係止片に係止され、また他方の前記扉から延びる前記索条の他端部は前記第２係止片に係止され、前記センサが動物を感知すると、前記センサからの感知信号に基づいて前記作動手段が作動して、前記第１係止片は一方の前記扉側である特定方向に揺動し、また前記第２係止片は前記特定方向とは反対方向に揺動して、前記一対の係止片がそれぞれ前記保持位置から前記解除位置に位置付けられ、これにより、前記各索条の他端部がともに前記一対の係止片から離脱されることを特徴とする請求項３に記載の捕獲用檻。
【請求項６】
前記センサは、前記檻本体の外側面に設置され、高さ調整自在に取り付けられていることを特徴とする請求項１乃至５のいずれかに記載の捕獲用檻。
【請求項７】
前記作動手段は装置ハウジング内に収容され、前記装置ハウジングの上面は天板により覆われており、前記天板は第１天板及び第２天板から構成され、前記第１天板の一端部には凹溝が設けられ、また前記第２天板の一端部には係止突条が設けられており、前記凹溝に前記係止突条が係止されるることにより、前記第１天板及び前記第２天板が前記装置ハウジングに装着されることを特徴とする請求項１乃至６のいずれかに記載の捕獲用檻。
【請求項８】
前記檻本体の底部の所定領域の鉄筋格子は、直径５〜７ｍｍの鉄筋部材を間隔が１７〜２３ｃｍとなるように配設して構成されることを特徴とする請求項１乃至７のいずれかに記載の捕獲用檻。
【考案の詳細な説明】
【技術分野】
【０００１】
本考案は、例えば猪、猿、ヌートリア等の害獣である動物を捕獲するための捕獲用檻に関する。
【背景技術】
【０００２】
近年、猪、猿、ヌートリア等の害獣である動物が、人里に出没して田畑等を荒らすことによる被害が急増している。そこで、従来より、このような動物を捕獲するための捕獲用檻が用いられている。この捕獲用檻は、開口を有する檻本体と、開口に開閉自在に装着された扉と、扉を開状態に保持する保持状態と開状態の保持を解除する解除状態となる扉保持手段と、扉保持手段を作動させる作動手段とを備えている。檻本体内には、動物を誘き寄せるための餌がおかれ、この餌には、作動手段と連動される例えばワイヤー等の連動部材が付けられている。檻本体内に進入した動物がこの餌を食べると、連動部材を介して作動手段が作動し、扉保持手段が保持状態から解除状態になる。このように解除状態になると、扉が自重によって下方に移動して開口を閉じ、餌を食べていた動物を捕獲することができる（例えば、特許文献１及び特許文献２参照）。
【０００３】
【特許文献１】特開２００３−３１０１３４号公報
【特許文献２】特開２００１−１２８６１０号公報
【考案の開示】
【考案が解決しようとする課題】
【０００４】
しかしながら、この種の動物は非常に警戒心が強く、従来の捕獲用檻のように檻本体内の餌に連動部材のような人工の部材が設けられていると、動物は警戒して餌を食べようとしないばかりか、檻本体内に入ってこないため、なかなか動物を捕獲できないという問題があった。
【０００５】
本考案の目的は、動物に警戒されることなく、動物を檻本体内に誘き寄せることができ、檻本体内に入った動物を確実に捕獲することができる捕獲用檻を提供することである。
【課題を解決するための手段】
【０００６】
本考案の請求項１に記載の捕獲用檻では、開口を有する檻本体と、前記開口に開閉自在に装着された扉と、前記扉を開状態に保持する保持状態と前記開状態の保持を解除する解除状態とになる扉保持手段と、前記扉保持手段を作動させる作動手段と、動物を感知するセンサと、を備え、
前記センサが動物を感知すると、前記センサからの感知信号に基づいて前記作動手段が作動して前記扉保持手段が前記保持状態から前記解除状態になり、これによって、前記扉は自重によって下方に移動して前記開口を閉じることを特徴とする。
【０００７】
また、本考案の請求項２に記載の捕獲用檻では、前記扉保持手段は係止部材を有しており、前記係止部材は、前記扉保持手段が前記保持状態の時は保持位置に、そして前記解除状態の時は解除位置に位置付けられ、また前記扉には索条の一端部が接続され、前記扉が開状態の時には、前記扉から延びる前記索条の他端部は前記係止部材に係止され、
前記センサが動物を感知すると、前記センサからの感知信号に基づいて前記作動手段が作動して前記係止部材が前記保持位置から前記解除位置に位置付けられて、前記索条の他端部が前記係止部材から離脱され、これによって、前記扉は自重によって下方に移動して前記開口を閉じることを特徴とする。
【０００８】
さらに、本考案の請求項３に記載の捕獲用檻では、前記開口は前記檻本体の両端面にそれぞれ設けられ、この各開口にはそれぞれ前記扉が開閉自在に装着され、また前記各扉にはそれぞれ前記索条の一端部が接続され、前記センサが動物を感知すると、前記センサからの感知信号に基づいて前記作動手段が作動して前記係止部材が前記保持位置から前記解除位置に位置付けられ、これによって、前記各索条の他端部がともに前記係止部材から離脱されることを特徴とする。
【０００９】
さらにまた、本考案の請求項４に記載の捕獲用檻では、前記係止部材は、先端部が折曲されたフック部材で構成され、前記フック部材は、前記保持位置と前記解除位置との間を回動自在に構成されており、前記フック部材が前記保持位置に位置付けられた際には、前記フック部材の先端部は一方の前記扉側である特定方向を向いており、他方の前記扉から延びる前記索条の他端部は前記フック部材へ係止され、また一方の前記扉から延びる前記索条は他方の前記扉側で一旦折り返された後にその他端部が前記フック部材へ係止されており、前記センサが動物を感知すると、前記センサからの感知信号に基づいて前記作動手段が作動して、前記フック部材が回動して前記保持位置から前記解除位置に位置付けられ、これにより、前記フック部材の先端部が前記特定方向と反対側に向き、前記各索条の他端部がともに前記係止部材から離脱されることを特徴とする。
【００１０】
また、本考案の請求項５に記載の捕獲用檻では、前記係止部材は第１係止片及び第２係止片で構成され、前記第１係止片及び前記第２係止片はそれぞれ前記保持位置と前記解除位置との間を揺動自在であり、前記一対の係止片が前記保持位置に位置付けられた際には、一方の前記扉から延びる前記索条の他端部は前記第１係止片に係止され、また他方の前記扉から延びる前記索条の他端部は前記第２係止片に係止され、前記センサが動物を感知すると、前記センサからの感知信号に基づいて前記作動手段が作動して、前記第１係止片は一方の前記扉側である特定方向に揺動し、また前記第２係止片は前記特定方向とは反対方向に揺動して、前記一対の係止片がそれぞれ前記保持位置から前記解除位置に位置付けられ、これにより、前記各索条の他端部がともに前記一対の係止片から離脱されることを特徴とする。
【００１１】
さらに、本考案の請求項６に記載の捕獲用檻では、前記センサは、前記檻本体の外側面に設置され、高さ調節自在に取り付けられていることを特徴とする。
さらにまた、本考案の請求項７に記載の捕獲用檻では、前記作動手段は装置ハウジング内に収容され、前記装置ハウジングの上面は天板により覆われており、前記天板は第１天板及び第２天板から構成され、前記第１天板の一端部には凹溝が設けられ、また前記第２天板の一端部には係止突条が設けられており、前記凹溝に前記係止突条が係止されることにより、前記第１天板及び前記第２天板が前記装置ハウジングに装着されることを特徴とする。
【００１２】
また、本考案の請求項８に記載の捕獲用檻では、前記檻本体の底部の所定領域の鉄筋格子は、直径５〜７ｍｍの鉄筋部材を間隔が１７〜２３ｃｍとなるように配設して構成されることを特徴とする。
【考案の効果】
【００１３】
本考案の請求項１に記載の捕獲用檻によれば、センサが檻本体に入った動物を感知すると、センサからの感知信号に基づいて作動手段が作動して扉保持手段が保持状態から解除状態になるので、檻本体内においた餌に人工の部材を設ける必要がなく、その結果、動物は警戒心を抱くことがなく餌を食べようとし、動物を容易に檻本体内に誘き寄せて捕獲することが可能となる。
【００１４】
また、本考案の請求項２に記載の捕獲用檻によれば、扉に接続された索条の他端部が係止部材に係止され、センサが動物を感知すると、センサからの信号に基づいて扉保持手段が保持状態から解除状態になって索条の他端部が係止部材から離脱されるので、簡単な構成でもって扉を開状態に保持させ、また開状態の保持を解除することが可能となる。
【００１５】
さらに、本考案の請求項３に記載の捕獲用檻によれば、開口が檻本体の両端面にそれぞれ設けられ、この各開口にそれぞれ扉が開閉自在に装着されているので、一方の開口に近付いた動物は、他方の開口を通して向こう側の景色が見えるため警戒心を抱くことなく檻本体内に入るようになり、その結果、動物を容易に檻本体内に誘き寄せることが可能となる。また、係止部材が解除位置になると、双方の扉の索条の他端部がこの係止部材から離脱するので、簡単な構成でもって二つの扉を同時に閉じることができる。
【００１６】
さらにまた、本考案の請求項４に記載の捕獲用檻によれば、係止部材は、先端部が折曲されたフック部材で構成され、センサが動物を感知すると、センサからの感知信号に基づいてフック部材が回動して保持位置から解除位置に位置付けられる。保持位置にあるときには、索条の他端部をフック部材に係止させるだけで扉を開状態に保持させることができ、またフック部材を解除位置に回動させるだけで開状態の保持を解除することができ、一つの扉保持手段でもって二つの扉の開状態の保持、また開状態の解除を行うことができ、扉保持手段に関連する構成を簡単にできる。その結果、捕獲用檻のセッティングを容易に行うことが可能となる。
【００１７】
また、本考案の請求項５に記載の捕獲用檻によれば、係止部材は第１係止片及び第２係止片から構成され、センサが動物を感知すると、センサからの感知信号に基づいて、第１係止片は一方の扉側である特定方向に揺動して解除位置となり、また第２係止片は特定方向とは反対方向に揺動して解除位置となる。従って、一方の扉からの索条は第１係止片に係止すればよく、また他方の扉からの索条は第２係止片に係止すればよく、例えば一方の扉から延びる索条を他方の扉側で一旦折り返す必要もなくなり、捕獲用檻のセッティングをより一層容易に行うことが可能となる。
【００１８】
さらに、本考案の請求項６に記載の捕獲用檻によれば、センサは、檻本体の外側面に高さ調節自在に取り付けられているので、センサの位置を調整することによって、捕獲対象に対応した位置にセンサを配置することができ、これによって、捕獲したい動物を確実に捕獲することが可能となる。
【００１９】
さらにまた、本考案の請求項７に記載の捕獲用檻によれば、装置ハウジングの上面を覆う天板が第１天板及び第２天板から構成され、第１天板の一端部に設けた凹溝に第２天板の一端部に設けた係止突条が係止されるので、第１天板及び第２天板を所要の通りに取り付けることができるとともに、第１天板と第２天板との間の隙間に配置された凹溝により、雨水が装置ハウジング内へ浸入するのを防止することが可能となる。
【００２０】
また、本考案の請求項８に記載の捕獲用檻によれば、檻本体の底部の所定領域、すなわち動物が通る領域の鉄筋格子は、直径５〜７ｍｍの鉄筋部材が用いられているので、猪が踏んだ時にはその体重によってある程度撓み、木の枝を踏んだと感じるようになり、安心して檻本体内に侵入するようになる。また、鉄筋部材の間隔が１７〜２３ｃｍであるので、隣接する鉄筋部材間の間隔がある程度大きく、鉄筋部材を踏んだ時にも違和感が少なく、安心して檻本体内に侵入するようになる。このようなことから、猪檻捕獲用檻として好都合なものとなる。
【考案を実施するための最良の形態】
【００２１】
以下、添付図面を参照して、本考案に従う捕獲用檻の一実施形態について説明する。図１は、本考案による捕獲用檻の一実施形態を、扉が開状態に保持された状態で示す概略斜視図、図２は、図１の捕獲用檻における扉保持装置及びそれに関連する構成を示す斜視図、図３は、図２の扉保持装置の装置ハウジングの内部構造を示す概略断面図、図４は、図２の扉保持装置の係止部材が保持位置に位置付けられたときの状態を、天板を省略して示す概略平面図、図５は、係止部材が解除状態に位置付けられたときの状態を、天板を省略して示す概略平面図、図６は、扉が檻本体の開口を閉じた状態を示す概略斜視図である。
【００２２】
図１〜図３において、図示の捕獲用檻２は、開口４ａ，４ｂを有する檻本体６と、開口４ａ，４ｂに開閉自在に装着された扉８ａ，８ｂと、扉８ａ，８ｂを開状態に保持する保持状態と開状態の保持を解除する解除状態とになる扉保持手段１０と、扉保持手段１０を作動させる作動手段１２と、動物を感知するセンサ１４とを備え、この形態では、扉保持手段１０及び作動手段１２が扉保持装置３０内に内蔵されている。以下、図１〜図６を参照して、各構成要素について説明する。
【００２３】
図１を参照して、檻本体６は矩形状に構成され、両端面（側面を構成する４つの面のうち、互いに向かい合う２つの端面であって、図１及び図６において左右の端面）にはそれぞれ開口４ａ，４ｂが設けられている。この開口４ａ，４ｂを除く各側面、上面及び下面には、例えば鉄や鋼等の金属部材で形成された格子１６が設けられ、檻本体４内に入った動物が外にでることができないように構成されている。開口４ａ，４ｂの両端側部にはそれぞれ、ガイドレール１８ａ，１８ｂが上下方向に延設されており、このガイドレール１８ａ，１８ｂには扉８ａ，８ｂが開閉自在に装着されている。ガイドレール１８ａ，１８ｂは断面がコの字型の長溝２０ａ，２０ｂを有しており、この長溝２０ａ，２０ｂ内に扉８ａ，８ｂの両端部が上下方向に移動自在に装着される。扉８ａ，８ｂには、檻本体６と同様に例えば鉄や鋼等の金属部材で形成された格子１６が設けられている。また、ガイドレール１８ａ，１８ｂの上端部間にはアングル部材２２ａ，２２ｂが架け渡されている。ガイドレール１８ａ，１８ｂの長さは、扉８ａ，８ｂの長さ（高さ）よりも長く構成してあり、扉８ａ，８ｂが図１に示す開状態と図６に示す閉状態との間を安定して上下動できるように構成されている。また扉８ａ，８ｂの下端部には索条２４ａ，２４ｂ（後述する）の一端部が接続されている。檻本体６の上面部には、上方に延びる折り返し棒２６（後述する）が固定的に装着されている。なお、この扉８ａ，８ｂは、上方に移動してガイドレール１８，１８の上端部に位置付けられると、図１に示すように開状態となり、檻本体４の開口４ａ，４ｂが開放され、この状態から落下してその下端部が檻本体６の底部に当接すると、図６に示すように閉状態となり、掘り本体６の開口４ａ，４ｂが閉塞される。
【００２４】
図２〜図５を参照して、扉保持手段１０及び作動手段１２は、ともに装置ハウジング２８内に収容されて扉保持装置３０を構成しており、この扉保持装置３０は、動物などによって壊されないように檻本体６の上面部に固定的に装着されている（図１参照）。この実施形態では、装置ハウジング２８は、本体部材２９及びこれを天板３２を備え、この天板３２は、第１天板３４及び第２天板３６から構成されている。本体部材２９は略コ字状であり、装置ハウジング２８の三つの側壁を規定しており、また第１天板３４の断面は略Ｌ字型であり、本体部材２９の開放された一側面に対応して配設され、装置ハウジング２８の上面の一部（本体部材２９の開放された側の一部）及び装置ハウジング２８の開放された一側面を覆っている。また、第２天板３６は装置ハウジング２８の上面の残部（本体部材２９により囲まれた側の残部）を覆い、第１天板３４及び第２天板３６は本体部材２９の開放されれた一側面及び上面の全域を覆う。
【００２５】
また、第１天板３４の一端部（上面を覆う一端部）には凹溝３８が設けられ、また第２天板３６の一端部（第１天板３４側の端部）には係止突条４０が設けられており、この凹溝３８に係止突条４０が係止されることにより（図３参照）、第１天板３４及び第２天板３６が装置ハウジング２８に装着される。このような凹溝３８及び係止突条４０は、折曲加工等により形成される。このように構成することにより、装置ハウジング２８の上面を第１天板３４及び第２天板３６により所要の通りに覆うことができ、またこの装着状態においては、第１天板３４の上面と第２天板３６の上面との間には凹溝３８が配置されることとなり、降雨時に天板３２に降り注いだ雨水がこの凹溝３８で受けられ、凹溝３８内を流れて外部へ排出される。したがって、雨水が装置ハウジング２８内に浸入するのを防止でき、装置ハウジング２８内の電子部品等を保護することができる。従来のように、第１天板３４の上面と第２天板３６の上面との間の隙間をゴムパッキン等のゴム材で封止すると、太陽光の紫外線、太陽光による熱や雨水によってゴム材が劣化し、装置ハウジング２８内に雨水が浸入する恐れがあった。これに対して、上述したように凹溝３８と係止突条４０との組合せにより取り付けることにより、このような問題を解決することが可能となる。
【００２６】
また、第１天板３４は、装置ハウジング２８に着脱自在に装着されるように構成されている。この形態では、第１天板３４の他端部（下端部）４２は外方へ折曲されており、この他端部４２にはネジ用貫通孔（図示せず）が複数個設けられている。装置ハウジング２８の底壁４６は外方に幾分突出しており、第１天板３４の他端部４２と底壁４６の外周部とが重なるように、この第１天板３４が取り付けられる。そして、ネジ用貫通孔へ挿通したネジ４８を底壁４６に設けたネジ孔５０（図４及び図５参照）に螺合させることにより、第１天板３４が装置ハウジング２８に着脱可能に取り付けられる。例えば、装置ハウジング２８内の駆動バッテリ５２（後述する）の充電時や交換時などには、ネジ４８を外して第１天板３４を装置ハウジング２８から取り外せばよい。
【００２７】
捕獲用檻２は野外に設置されて雨風に晒されるため、装置ハウジング２８、第１天板３４及び第２天板３６は、金属から形成したときには防錆性及び耐腐食性を有する塗装を施すのが好ましく、或いは防錆性及び耐腐食性を有する例えば強化プラスチック等で形成するのが好ましく、このような構成と上述の凹溝３８及び係止突条４０との組合せによって、扉保持装置３０の完全防水化を図ることが可能となる。
【００２８】
また、装置ハウジング２８の底壁４６の外周部の四隅には固定用孔５４が設けられている。この固定用孔５４に挿通したボルト（図示せず）にナット（図示せず）を螺合させることにより、装置ハウジング２８が檻本体６の上面部へ固定される。さらに、図２に示すように、装置ハウジング２８の一側面には、作動手段１２を作動させるための電源スイッチ５６と、ＬＥＤ表示灯５８と、第１動作確認スイッチ６０と、第２動作確認スイッチ６２とが設けられており、これらについては後述する。
【００２９】
図２〜図５を参照して、扉保持手段１０について説明すると、図示の扉保持手段１０は、フック部材６４（係止部材として機能する）を有しており、扉８を開状態に保持する保持状態（図４に示す状態）と、扉８の開状態の保持を解除する解除状態（図５に示す状態）とになる。フック部材６４は、棒状本体部６８と、棒状本体部６８の先端部に設けた鉤状部７０とで構成されている。またフック部材６４は、保持状態の時には図４に示す保持位置に、そして解除状態の時には図５に示す解除位置に位置付けられ、この保持位置と解除位置との間を回動自在に構成されている。棒状本体部６８は装置ハウジング２８内に回動可能に配置され、また鉤状部７０は第２天板３６に設けた貫通孔７２を通して装置ハウジング２８の外部へ露出されている。棒状本体部６８の外周面には、外方に突出した第１当接片７４及び第２当接片７６（後述する）が設けられており、棒状本体部６８の下端部は支持台７８に回動自在に支持されている。鉤状部７０は所定方向に折曲されており、後述するように索条２４ａ，２４ｂの他端部がこの鉤状部７０に係止される。
【００３０】
作動手段１２は電磁ソレノイド８０で構成され、電磁ソレノイド８０の外側面は金属ケース８２で覆われており、また電磁ソレノイド８０及び金属ケース８２は支持台７８上に取り付けられている（図３参照）。また、電磁ソレノイド８０は、励磁電流が供給されるソレノイドコイル８１及びこのソレノイドコイル８１内に配設された作動棒８４から構成され、この作動棒８４の先端部が金属ケース８２に設けた貫通孔（図示せず）内を通って外側に突出し、この突出端部に作動部１００が設けられ、作動棒８４及び作動部１００が図４における左右方向にスライド移動自在に設けられている。装置ハウジング２８内に設けた駆動バッテリ５２からの励磁電流がソレノイドコイル８０に流れると、図５に示すように、作動棒８４がソレノイドコイル８０に引き付けられて金属ケース８２から突出し、また駆動バッテリ５２からの励磁電流を断つと、図４に示すように作動棒８４がソレノイドコイル８０から離れて金属ケース８２内に収容される。なお、図示しないが、装置ハウジング２８内には、センサ部８６からの感知信号（後述する）を受けて電磁ソレノイド８０を作動させるための制御回路基板や、電線類及び各種電子部品などが収納されている。
【００３１】
動物を感知するためのセンサ１４は、センサ部８６と、センサ部８６からの感知信号を扉保持装置３０の制御回路基板（図示しない）へ送出するためのケーブル部８８とで構成される。図２に示すように、センサ部８６は筒状に形成され、センサ部８６の先端部には取付板９０が設けられている。取付板９０は、センサ部８６に対して垂直方向に延びており、センサ部８６の高さ位置を調節するための調節用孔９２が複数個（本実施形態では６個）設けられている。檻本体６の一側面には板状の取付部９４が上下方向に延びて設けられており、この取付部９４には複数の取付用孔９６が上下方向に並んで設けられている。センサ部８６の取付板９０はこの取付部９４に装着され、取付板９０の調節用孔９２及び取付部９４の取付用孔９６のそれぞれに挿通したボルト９８にナット（図示せず）を螺合させることにより、センサ部８６を取付部９４に固定的に装着する（図１参照）。この時、センサ部８６は檻本体６内の中央部を向くように装着され、檻本体６の中央部に入った動物を感知するようになる。このような取付構造であるので、取付板９０の調節用孔９２と取付部９４の取付用孔９６との整合位置関係を変えることによって、センサ部８６の高さ位置を調整することができる。なお、上述した構成に代えて、取付板９０の調節用孔を一つにしてもよく、或いは取付部９４の取付用孔９６を一つにするようにしてもよい。
【００３２】
センサ部８６の先端部には反射型赤外線センサ（図示しない）が設けられ、この赤外線センサからの赤外線はセンサ部８６の開口を通して照射、受光される。一般に、赤外線は動物の目には見えない光であるため、赤外線を利用したセンサを用いることによって、夜間でも動物に警戒心を抱かせることがない。また、ケーブル部８８の一端部はセンサ部８６（赤外線センサ）に接続され、その他端部は装置ハウジング２８に接続されている。センサ部８６（赤外線センサ）が動物を感知すると、センサ部８６より感知信号がケーブル部８８を介して装置ハウジング２８内の制御回路基板へ送出される。
【００３３】
また、センサ部８６の高さ位置（すなわち、地上からの高さ位置）は、取付部９４の取付用孔９６に対する取付板９０の調節用孔９２の位置を上下方向にずらすことにより調節することができる。したがって、捕獲しようとする動物の種類によってセンサ部８６の高さ位置を調節することにより、効果的に動物を感知して捕獲することが可能となる。例えば、猪の成獣では約５０〜６０ｃｍ、猪の幼獣では約２０〜３０ｃｍ、猿では約３０ｃｍ、ヌートリアでは約１０〜１５ｃｍの高さ位置にセンサ部８６を設置すればよい。なお、本実施形態では調節用孔９２を６個設けたが、例えば７個でも８個でもよく、捕獲用檻２の用途に応じて適宜設定できる。
【００３４】
次に、図３〜図５を参照して、扉保持手段１０及び作動手段１２の動作について説明する。まず、電源スイッチ５６をオン（閉）にし、フック部材６４を図４において時計方向（図４中の矢印Ｙで示す方向）へ手動で回す。このように回動すると、フック部材６４の棒状本体部６８に設けた第１当接片７４が、電磁ソレノイド８０の作動棒８４の作動部１００に当接する。この当接状態においては、フック部材６４は保持位置に保持され、図４に示す角度位置となる。この角度位置においては、後述するように、フック部材６４の鉤状部７０は図４における下方向（後述する特定方向）を向いている。
【００３５】
この状態からセンサ部８６が動物を感知して、センサ部８６からケーブル部８８を介して制御回路基板（図示せず）へ感知信号が送出されると、この感知信号を受けて制御回路基板が作動信号を生成し、この作動信号に基づいて電磁ソレノイド８０に励磁電流が送給される。このように励磁電流が送給されると、電磁ソレノイド８０が励磁され、作動棒８４及び作動部１００が図５において左方に矢印Ｕで示す方向へ飛び出す。このように飛び出すと、作動部１００が棒状本体部６８の第１当接片７４に作用して棒状本体部６８を図５において反時計方向（図５中の矢印Ｘで示す方向）に回動し、棒状本体部６８の第２当接片７６が電磁ソレノイド８０の外側面に設けた金属ケース８２に当接する（図５参照）。この当接状態においては、フック部材６４の鉤状部７０は、図５において上方向（後述する特定方向とは反対方向）を向いて解除位置となり、図５に示す角度位置となる。
【００３６】
また、扉保持装置１０は、動作確認機能を備えている。電源スイッチ５６がオン（閉）の状態で第１動作確認スイッチ６０をオン（閉）すると、センサ部８６から感知信号が送出されなくても、制御回路基板（図示せず）が作動信号を生成し、この作動信号に基づいて電磁ソレノイド８０が励磁されてフック部材６４が上述したように回動する。したがって、作動手段１２が正常に作動するかどうかについてテストしたい場合に、このような動作確認を行えばよい。
【００３７】
また、電源スイッチ５６がオンの状態で第２確認スイッチ６２をオンすると、センサ部８６から感知信号が送出された場合に、作動部材１２が作動する（電磁ソレノイド８０が励磁する）ことなくＬＥＤ表示灯５８が点灯する。すなわち、ＬＥＤ表示灯５８が点灯すれば、センサ部８６から感知信号が正常に送出されていることが確認できる。したがって、センサ部８６が動物を感知した際に、センサ部８６が正常に感知信号を送出するかどうかについてテストしたい場合に、このような動作確認を行えばよい。
【００３８】
なお、本実施形態では、第１動作確認スイッチ６０及び第２動作確認スイッチ６２の両方を設けたが、第１動作確認スイッチ６０のみを設けてもよく、また第２動作確認スイッチ６２のみを設けてもよい。あるいは、１つのスイッチで、第１動作確認スイッチ６０及び第２動作確認スイッチ６２の両方の機能を有するように構成してもよい。
【００３９】
次に、上述した捕獲用檻２を用いた動物の捕獲方法について説明する。動物を捕獲するには、まず、捕獲用檻２のセッティングを行う。扉保持装置３０の電源スイッチ５６をオン（閉）にし、フック部材６４の鉤状部７０を手動で時計方向へ回して保持位置に（図４に示す角度位置）に位置付ける。この保持位置に位置付けると、フック部材６４の鉤状部７０は、一方の扉８ａ（図１において左側に位置する扉８ａ）側の特定方向（図１において左方向））を向いた状態となる。
【００４０】
そして、各開口４ａ，４ｂに装着した扉８ａ，８ｂを上方に移動させて開状態にする。他方の扉８ｂについては、その下端部に接続された索条２４ｂ（例えば、ワイヤーロープなど）を上方へ延ばし、アングル部材２２ｂにこの索条２４ｂを引っ掛けた後に、この索条２４ｂの他端部をフック部材６４の鉤状部７０まで張設させてこれに係止する。また、一方の扉８ａについては、その下端部に接続された索条２４ａを上方に延ばし、アングル材２２ａにこの索条２４ａを引っ掛け、さらに扉保持装置３０と他方の扉８ｂとの間に配設される折り返し棒２６に引っ掛けて折り返した後に、フック部材６４の鉤状部７０まで張設させてこれに係止する。なお、索条２４ａ，２４ｂの他端部は、フック部材６４の鉤状部７０に係止できるように、例えばリング状に構成されている。
【００４１】
したがって、他方の扉８ｂからの索条２４ｂは、アングル部材２２ｂを介してフック部材６４鉤状部７０に係止され、また一方の扉８ａからの索条２４ａは、アングル部材２２ａ及び折り返し棒２６を介してこの鉤状部７０に係止される。この係止状態においては、鉤状部７０の先端は上記特定方向を向き、各索条２４ａ，２４ｂは特定方向とは反対方向からこの鉤状部７０に係止されるため、各索条２４ａ，２４ｂが鉤状部７０に確実に係止され、この鉤状部７０から抜けてしまうことがない。このように係止することによって、扉８ａ，８ｂはガイドレール１８ａ，１８ｂの上端部に位置する開状態に保持され、檻本体６の開口４ａ，４ｂは開放された状態となる。その後、檻本体６内の床面の中央部には、動物を誘き寄せるための餌（図示せず）を載置する。このように準備した後に、扉保持装置３０の電源スイッチ５６をオン（閉）にすればよく、このようにして捕獲用檻２のセッティングが完了する。
【００４２】
このようにセッティングした状態で、猪、猿、ヌートリア等の動物（図示せず）が、餌を求めて開口４ａ（又は４ｂ）より檻本体６内へ進入し、その中央部まで移動すると、センサ１４のセンサ部８６が侵入した動物を感知し、扉保持装置３０の制御回路基板（図示せず）へ感知信号を送出する。かくすると、この感知信号を受けて制御回路基板は作動信号を生成し、この作動信号が電磁ソレノイド８０へ送給され、電磁ソレノイド８０が励磁する。このように電磁ソレノイド８０が作動すると、図５に示すように、その作動棒８４が突出し、作動棒８４の作動部１００がフック部材６４の第１当接片７４に作用して矢印Ｘで示す方向（図５参照）へ回動し、このフック部材６４が保持位置（図４参照）から解除位置（図５参照）へと位置付けられ、第２当接片７６が電磁ソレノイド８０の金属ケース８２に当接することによって、この解除位置を越える移動が阻止される。このようにフック部材６４（鉤状部７０）が解除位置へ位置付けられると、その鉤状部７０は上記特定方向とは反対方向（図１において右方向）を向き、各索条２４ａ，２４ｂの他端部は扉８ａ，８ｂにより引っ張られて鉤状部７０上を滑り、索状２４ａ，２４ｂの他端部は鉤状部７０から離脱される。これによって、扉８ａ，８ｂは索条２４ａ，２４ｂによって支持されなくなり、扉８ａ，８ｂは自重によってガイドレール８ａ，８ｂに沿って下方に移動して檻本体６の開口４ａ，４ｂを閉じ、このようにして餌を食べに入った動物を檻本体６内に捕獲することができる（図６参照）。
【００４３】
このように動物を捕獲した場合には、捕獲したことを狩猟者等に知らせる手段を設けることが好ましい。例えば、センサ１４のセンサ部８６から感知信号が送出されると、扉保持装置３０より電波信号を送出し、この電波信号を捕獲用檻２から離れた場所にいる狩猟者等の所持する例えば携帯電話等の携帯端末で受信するようにしてもよい。携帯端末で捕獲信号を受信すると、携帯端末の表示部に所定のメッセージや記号等が表示される。狩猟者等はこのメッセージや記号等を見ることにより、離れた場所に居ながら檻本体６内に動物を捕獲したことを知ることができ、毎日動物を捕獲できたかどうか見回る必要がなくなる。
【００４４】
次に、図７〜９を参照して、捕獲用檻の他の実施形態について説明する。図７は、他の実施形態の捕獲用檻の扉保持手段を保持位置に保持した状態で示す概略斜視図、図８は、図７の扉保持手段を解除位置に向けて移動する状態を示す概略斜視図、図９は、他の実施形態の捕獲用檻の全体を示す概略平面図である、この他の実施形態においては、扉保持装置及びこれに関連する構成について改良が施されている。図７〜９において、図１〜図６と同一の構成要素には同一の符号を付してその説明を省略する。
【００４５】
この他の実施形態の捕獲用檻２Ａでは、扉保持手段１０Ａを構成する係止部材が一対の係止片１０２ａ，１０２ｂで構成され、この扉保持手段１０Ａ及び作動手段（図１から図６に示す実施形態と同様のものでよい）が扉保持装置３０Ａを構成している。第１及び第２係止片１０２ａ，１０２ｂは、円筒状の本体部１０３ａ，１０３ｂと、本体部１０３ａ，１０３ｂの周面に設けられた棒状の係止片１０４ａ，１０４ｂを有しており、各係止片１０２ａ，１０２ｂの本体部１０３ａ，１０３ｂが装置ハウジング２８から延設された支持部材１０８にそれぞれ揺動自在に支持されている（図７参照）。すなわち、第１係止片１０２ａ及び第２係止片１０２ｂは、支持部材１０８を中心として揺動自在であり、第１係止片１０２は、例えばねじりバネ（図示せず）によって図７中の矢印Ｐで示す方向（時計方向）に弾性的に付勢されており、また第２係止片１０２ｂは、例えばねじりバネ（図示せず）によって図７中の矢印Ｑで示す方向（反時計方向）に弾性的に付勢されている。なお、第１及び第２係止片１０２ａ，１０２ｂを付勢するための例えばねじりバネは省略することもできる。
【００４６】
作動手段である電磁ソレノイド（図示せず）から延びる作動棒８４Ａの作動部１００Ａは、装置ハウジング２８の外部に露出されており、この作動部１００Ａの外周面には、軸方向に延びる係止部１１０が設けられ、かかる係止部１１０は下方に突出している。そして、作動棒８４Ａは、電磁ソレノイドの付勢、除勢によって装置ハウジング２８の貫通孔（図示せず）を通って軸方向に移動自在に構成されている。
【００４７】
この他の実施形態では、索条２４ａの一端部は一方の扉８ａに接続され、この扉８ａ（図９において左側に位置する扉８ａ）から延びる索条２４ａの他端部は、アングル材２２ａに掛けられた後に第１係止片１０２ａの係止部１０４ａに係止される。また、他の索条２４ｂの一端部は他方の扉８ｂに接続され、この扉８ｂ（図９において右側に位置する扉８ｂ）から延びる索条２４ｂの他端部は、アングル材２２ｂに掛けられた後に第２係止片１０２ｂの係止部１０４ｂに係止される。
【００４８】
作動手段としての電磁ソレノイド（図示せず）が除勢された状態では、図７に示すように、作動棒８４Ａは電磁ソレノイド内に収容され、作動部１００Ａは図７に示す状態にあり、作動部１００Ａの係止部１１０は第１及び第２係止片１０２ａ，１０２ｂの揺動経路内に位置する。したがって、第１係止片１０２ａは時計方向側から作動部１００Ａの係止部１１０に当接し保持位置（図７参照）に保持され、かく保持された第１係止片１０２ａの係止部１０４ａに索条２４ａの他端部が係止され、係止された索条２４ａは第１係止片１０２ａを時計方向に揺動しようとするのでこの係止部１０４ａから外れることはない。また、第２係止片１０２ｂは反時計方向側から作動部１００Ａの係止部１１０に当接して保持位置に保持され（図７参照）、かく保持された第２係止片１０２ｂの係止部１０４ｂに他の索条２４ｂの他端部が係止され、係止された索条２４ｂは第２係止片１０２ｂを反時計方向に揺動しようとするのでこの係止部１０４ｂから外れることはない。
【００４９】
また、電磁ソレノイドが付勢された状態では、図８に示すように、作動棒８４Ａが電磁ソレノイドから突出した状態となり、作動部１００Ａの係止部１１０は第１及び第２係止部１０４ａ，１０４ｂの揺動経路から外れる。したがって、第１係止片１０２ａにあっては、時計方向への揺動が許容され、図８に示すように解除位置（例えば、係止部１０４ａが下方に延びる位置）に向けて揺動する際に、索条２４ａの他端部が第１係止片１０２ａの係止部１０４ａから外れるようになる。また、第２係止片１０２ｂにあっては、反時計方向への揺動が許容され、図８に示すように解除位置（例えば、係止部１０４ｂが下方に延びる位置）に向けて揺動する際に、索条２４ｂの他端部が第２係止片１０２ｂの係止部１０４ｂから外れるようになる。
【００５０】
この捕獲用檻２Ａにおいては、索条２４ａ，２４ｂの他端部を第１及び第２係止片１０２ａ，１０２ｂの係止部１０４ａ，１０４ｂに係止させ、第１係止片１０２ａにあっては、その係止部１０４ａを図７において時計方向側から作動部１００Ａの係止片１１０に係止させ、また第２係止片１０２ｂにあっては、その係止部１０４ｂを図７において反時計方向側から作動部１００Ａの係止部１１０に係止させる。このようにすることによって、第１及び第２係止片１０２ａ，１０２ｂが保持位置に保持され、また索条２４ａ，２４ｂを介して扉８ａ，８ｂが開状態に保持され、檻本体６の開口が開放された状態に保たれる。そして、檻本体６内に餌をおいた後、扉保持装置３０Ａの電源スイッチ（図示せず）をオン（閉）にし、このようにして捕獲用檻２Ａのセッティングが終了する。
【００５１】
このように捕獲用檻２Ａをセッティングした後、センサ１４のセンサ部８６が動物を感知すると、センサ部８６からケーブル部８８を介して扉保持手段３０Ａの制御回路基板（図示せず）へ感知信号が送出され、制御回路基板からの作動信号に基づいて電磁ソレノイド（図示せず）が付勢される。かく付勢されると、、作動棒８４Ａが電磁ソレノイドから突出して図７中の矢印Ｖで示す方向に移動し、作動部１００Ａの係止部１１０による第１及び第２係止片１０２ａ，１０２ｂの係止が解除される。かくすると、図８に示すように、索条２４ａ，２４ｂを介して伝わる扉８ａ，８ｂの自重をも利用して、第１及び第２係止片１０２ａ，１０２ｂが解除位置に向けて揺動し、第１係止片１０２ａの矢印Ｐで示す方向の揺動の際には、状索状２４ａは扉８ａの自重により図８中の矢印Ｔで示す方向に引っ張られて第１係止片１０２ａの係止部１０４ｂから離脱され、また第２係止片１０２ｂの矢印Ｑで示す方向の揺動の際には、索条２４ｂは扉８ｂの自重により図８中の矢印Ｓで示す方向に引っ張られて第２係止片１０２ｂの係止部１０４ｂから離脱され、扉８ａ，８ｂは自重によりガイドレール１８ａ，１８ｂに沿って下方に移動して檻本体６の開口を閉じ、このようにして餌を食べようとして檻本体６内に侵入した動物を捕獲することができる。
【００５２】
この他の実施形態では、上記実施形態のように、索条２４ａ，２４ｂを第１及び第２係止片１０２ａ，１０２ｂへそれぞれ係止させる際に、一方の索条２４ａを折り返す必要がないため、捕獲用檻２Ａのセッティングをより一層容易に行うことが可能となる。
【００５３】
上述した捕獲用檻２Ａ（２）を猪を捕獲するために好適なものにするためには、図１０に示すとおりに構成するのが望ましい。図１０において、檻本体６の底部の所定領域、すなわち猪が侵入して通る領域であって、檻本体６の幅方向（図１０において上下方向）中央領域の格子構造が鉄筋部材２０２による鉄筋格子とし、直径が５〜７ｍｍの鉄筋部材２０２を用いるのが好ましく、このような直径の鉄筋部材２０２は猪が踏みつけるとその体重によってある程度撓むため、猪は落ちた枝を踏んだように感じ、猪の警戒心を少なくすることができる。また、このような格子構造においては、正方形状の格子の一辺が１７〜２３ｃｍ程度の大きさにするのが好ましく、このような大きさであると、猪は地面を踏んで檻本体６内に侵入するようになり、仮に鉄筋部材２０２を踏んだとしても数が少ないので枝を踏んだように感じ、警戒することなく檻本体６内に侵入するようになり、その結果、猪を高い確率で捕獲することができる。
【００５４】
例えば、図１０に示すように、檻本体６の幅Ｗ０が８０ｃｍである場合、両側の枠フレーム２０４とその内側の鉄筋部材２０２との間隔Ｗ１は例えば１０ｃｍに、また幅方向中間に位置する鉄筋部材２０２間の間隔Ｗ２は例えば２０ｃｍに設定することができる。また、檻本体６の縦方向（図１０において左右方向）における鉄筋部材２０２間の間隔Ｌ１は、例えば２０ｃｍに設定することができる。このように構成することによって、猪が侵入して通る領域においては、格子構造は正方形状の格子となり、その一辺が２０ｃｍとなって、猪に警戒心を与えないような大きさにすることができる。
【００５５】
以上、本考案に従う捕獲用檻の種々の実施形態について説明したが、本考案はかかる実施形態に限定されるものではなく、本考案の範囲を逸脱することなく種々の変形乃至修正が可能である。
【００５６】
例えば、上記実施形態では、動物が侵入する開口を檻本体の両端面に設けたが、この開口を檻本体の一端面にのみ設けるようにしてもよい。
また、上記実施形態では係止部材を回動可能なフック部材で構成したが、係止部材を例えば上下移動する棒状部材で構成してもよい。例えば、係止部材（棒状部材）の先端部を装置ハウジングの天板より上方に突出させて、この突出した係止部材の先端部に索条の他端部を係止させるようにすればよく、このように構成した場合、作動部材が作動すると係止部材が装置ハウジング内に引き込まれ、これによって、索条の他端部が係止部材から離脱されるようになる。
【図面の簡単な説明】
【００５７】
【図１】本考案による捕獲用檻の一実施形態を、扉が開状態に保持された状態で示す概略斜視図。
【図２】図１の捕獲用檻における扉保持装置及びそれに関連する構成を示す概略斜視図。
【図３】図２の扉保持装置の装置ハウジングの内部構造を示す概略断面図。
【図４】図２の扉保持装置の係止部材が保持位置に位置付けられたときの状態を、天板を省略して示す概略平面図。
【図５】係止部材が解除状態に位置付けられたときの状態を、天板を省略して示す概略平面図。
【図６】扉が檻本体の開口を閉じた状態を示す概略斜視図。
【図７】他の実施形態の捕獲用檻における扉保持手段を、係止片を保持位置に位置付けた状態で示す概略斜視図。
【図８】図７の捕獲用檻における扉保持手段を、係止片が解除位置に向けて移動する際の状態で示す概略斜視図。
【図９】他の実施形態の捕獲用檻の全体を示す平面図。
【図１０】檻本体の底部の格子構造を上から見た図。
【符号の説明】
【００５８】
２，２Ａ  捕獲用檻
４ａ，４ｂ  開口
６  檻本体
８ａ，８ｂ  扉
１０，１０Ａ  扉保持手段
１２  作動手段
１４  センサ
２４ａ，２４ｂ  索条
２８  装置ハウジング
３２  天板
３４  第１天板
３６  第２天板
３８  凹溝
４０  係止突条
６４  フック部材
【図１】
0003106222.tif 000003
【図２】
0003106222.tif 000004
【図３】
0003106222.tif 000005
【図４】
0003106222.tif 000006
【図５】
0003106222.tif 000007
【図６】
0003106222.tif 000008
【図７】
0003106222.tif 000009
【図８】
0003106222.tif 000010
【図９】
0003106222.tif 000011
【図１０】
0003106222.tif 000012